(57)【要約】      （修正有）【課題】１組で４つの柄を楽しむことができ、帯の装着が容易であることに加え、帯柄の変更作業も容易である付け帯を提供する。【解決手段】柄が異なる四種類の帯として使用することができ、垂れと手と手先とが分離された形態で含まれる付け帯であって、垂れが袋形の形状であって、４つの柄が、垂れが成す袋の外側の一の面１４及び他の面１６、並びに垂れが成す袋の内側の一の面８及び他の面１０に、重複が無いように一つずつ配置され、手１８が、付け帯着用者の胴部分に二周巻いて着用する形態であり、垂れが成す該袋の内側及び外側が相互に入れ替え自在である。【選択図】図１
2014080698.tif 000002
【特許請求の範囲】
【請求項１】
柄が異なる四種類の帯として使用することができ、垂れと手と手先とが分離された形態で含まれる付け帯であって、
前記垂れが、袋形の形状であって、該垂れが成す該袋の内側及び外側が相互に入れ替え自在であり、それぞれ異なる第一の柄、第二の柄、第三の柄及び第四の柄が、前記垂れが成す袋の外側の一の面及び他の面、並びに前記垂れが成す袋の内側の一の面及び他の面に、重複が無いように一つずつ配置され、
前記手が、当該付け帯着用者の胴部分に二周巻いて着用する形態であり、前記第一の柄、第二の柄、第三の柄及び第四の柄が、前記手の一の面中央から左の部分及び右の部分、並びに前記手の他の面中央から左の部分及び右の部分に、重複が無いように一つずつ配置され、
前記手先が、袋形の形状であって、該手先が成す該袋の内側及び外側が相互に入れ替え自在であり、前記第一の柄、第二の柄、第三の柄及び第四の柄が、前記手先が成す袋の外側の一の面及び他の面、並びに前記手先が成す袋の内側の一の面及び他の面に、重複が無いように一つずつ配置されることを特徴とする付け帯。
【請求項２】
前記垂れが成す袋の開口部付近に、前記垂れの長手方向にタックを入れるための第一の係止機構の雄部及び雌部を二組備え、該雄部と該雌部との着脱が自在であることを特徴とする請求項１に記載の付け帯。
【請求項３】
前記垂れが成す袋の片側面にのみ、帯芯が装着され、
前記手先が成す袋の片側面にのみ、帯芯が装着されることを特徴とする請求項１又は２に記載の付け帯。
【請求項４】
前記垂れが、該垂れと前記手先とが着脱自在に係止される第二の係止機構の雄部を備え、
前記手先が、前記第二の係止機構の雌部を備え、
前記垂れでお太鼓を作ったときに、前記第二の係止機構によって、前記垂れと前記手先とを係止させることを特徴とする請求項１乃至３の何れか一に記載の付け帯。
【発明の詳細な説明】
【技術分野】
【０００１】
和服の付け帯の技術に関する。
【背景技術】
【０００２】
通常、和服の帯１本に対し柄は１つであり、帯の表面及び裏面を使用した場合であっても、和服の帯１本に対し柄は２つである。
【０００３】
一方で、一般的に、和服の帯は高価なものであって、各人が多数の帯を保有することは金銭的負担の観点から難しい場合が多い。また、多数の帯を保有する場合であっても、日本の住宅事情を勘案すると、狭い家の中で帯の収納スペースを確保することは簡単なことではない。
【０００４】
上記のような事情から、和服の帯１本に多数の柄を配置し、１本であっても、柄の異なる数種類の帯として使用することができる帯に関し多数の提案がなされている。例えば、特許文献１では、１組で２種類の柄が楽しめる帯が提案され、特許文献２では、１本で４種類の柄が楽しめる帯が提案され、特許文献３では、１本で３種類の柄が楽しめる帯が提案され、特許文献４では、１本で４種類の柄が楽しめる帯が提案されている。
【先行技術文献】
【特許文献】
【０００５】
【特許文献１】特開２００９−１９３０８号
【特許文献２】特開２００８−１２１１７６号
【特許文献３】実開昭６３−７３３１７号
【特許文献４】実開昭６２−１９８２２２号
【発明の概要】
【発明が解決しようとする課題】
【０００６】
しかしながら、特許文献１に記載の技術においては、帯一本当たりの楽しめる柄の数が少ないという問題点があった。
また、特許文献２に記載の技術においては、帯の装着が難しいという問題点があった。
また、特許文献３に記載の技術においては、帯一本当たりの楽しめる柄の数が少ない、帯の装着が難しいという問題点があった。
また、特許文献４に記載の技術においては、帯の装着が難しいという問題点があった。
【０００７】
そこで本発明では、上記問題点に鑑み、１組で４つの柄を楽しむことができ、帯の装着が容易であることに加え、帯柄の変更作業も容易である付け帯を提供することを目的とする。
【課題を解決するための手段】
【０００８】
開示する付け帯の一形態は、柄が異なる四種類の帯として使用することができ、垂れと手と手先とが分離された形態で含まれる付け帯であって、前記垂れが袋形の形状であって、該垂れが成す該袋の内側及び外側が相互に入れ替え自在であり、それぞれ異なる第一の柄、第二の柄、第三の柄及び第四の柄が、前記垂れが成す袋の外側の一の面及び他の面、並びに前記垂れが成す袋の内側の一の面及び他の面に、重複が無いように一つずつ配置され、前記手が、当該付け帯着用者の胴部分に二周巻いて着用する形態であり、前記第一の柄、第二の柄、第三の柄及び第四の柄が、前記手の一の面中央から左の部分及び右の部分、並びに前記手の他の面中央から左の部分及び右の部分に、重複が無いように一つずつ配置され、前記手先が袋形の形状であって、該手先が成す該袋の内側及び外側が相互に入れ替え自在であり、前記第一の柄、第二の柄、第三の柄及び第四の柄が、前記手先が成す袋の外側の一の面及び他の面、並びに前記手先が成す袋の内側の一の面及び他の面に、重複が無いように一つずつ配置されることを特徴とする。
【０００９】
また、開示する付け帯の一形態は、上記構成に加え、前記垂れが成す袋の開口部付近に、着脱自在な係止機構であって、前記垂れの長手方向にタックを入れるための第一の係止機構の雄部及び雌部を二組備えることを特徴とする。
【００１０】
また、開示する付け帯の一形態は、上記構成に加え、前記垂れが成す袋の片側面にのみ、帯芯が装着され、前記手先が成す袋の片側面にのみ、帯芯が装着されることを特徴とする。
【００１１】
また、開示する付け帯の一形態は、上記構成に加え、前記垂れでお太鼓を作った場合に、前記垂れが、該垂れと前記手先とが着脱自在に係止される第二の係止機構の雄部を備え、前記手先が、前記第二の係止機構の雌部を備えることを特徴とする請求項１乃至３の何れか一に記載の付け帯。
【発明の効果】
【００１２】
開示する付け帯は、１組で４つの柄を楽しむことができ、帯の装着が容易であることに加え、帯柄の変更作業も容易である。
【図面の簡単な説明】
【００１３】
【図１】本実施の形態に係る付け帯全体を示す図である。
【図２】（ａ）本実施の形態に係る垂れの外側表面の平面図である。（ｂ）本実施の形態に係る垂れの外側裏面の平面図である。（ｃ）本実施の形態に係る垂れの内側表面の平面図である。（ｄ）本実施の形態に係る垂れの内側裏面の平面図である。
【図３】（ａ）本実施の形態に係る手の表面の平面図である。（ｂ）本実施の形態に係る手の裏面の平面図である。
【図４】本実施の形態に係る（ａ）本実施の形態に係る手先の外側表面の平面図である。（ｂ）本実施の形態に係る手先の外側裏面の平面図である。（ｃ）本実施の形態に係る手先の内側表面の平面図である。（ｄ）本実施の形態に係る手先の内側裏面の平面図である。
【図５】本実施の形態に係る付け帯の使用方法を説明する図（その１）である。
【図６】本実施の形態に係る付け帯の使用方法を説明する図（その２）である。
【図７】本実施の形態に係る付け帯の使用方法を説明する図（その３）である。
【図８】本実施の形態に係る付け帯の使用方法を説明する図（その４）である。
【図９】本実施の形態に係る付け帯の使用方法を説明する図（その５）である。
【図１０】本実施の形態に係る付け帯の使用方法を説明する図（その６）である。
【図１１】本実施の形態に係る付け帯の使用方法を説明する図（その７）である。
【図１２】本実施の形態に係る付け帯の使用方法を説明する図（その８）である。
【図１３】本実施の形態に係る付け帯の使用方法を説明する図（その９）である。
【図１４】本実施の形態に係る付け帯の使用方法を説明する図（その１０）である。
【図１５】本実施の形態に係る付け帯の使用方法を説明する図（その１１）である。
【図１６】本実施の形態に係る付け帯の使用方法を説明する図（その１２）である。
【図１７】本実施の形態に係る付け帯の使用方法を説明する図（その１３）である。
【図１８】本実施の形態に係る付け帯の使用方法を説明する図（その１４）である。
【発明を実施するための形態】
【００１４】
図面を参照しながら、本発明を実施するための形態について説明する。
（本実施の形態に係る付け帯の構造）
【００１５】
図１乃至４を用いて、本実施の形態に係る付け帯１の構造について説明する。図１は、付け帯１の全体を説明するための図である。図２乃至４は、付け帯１の各構成部品を説明するための図である。
【００１６】
図１で示すように、付け帯１は、垂れ２、手（「胴」ともいう。）１８、手先２４を含み、帯表面に出す柄を変更することによって、１組の付け帯１で４種類の柄を楽しむことができる。以下、図２を用いて、垂れ２の構造を詳細に説明し、図３を用いて、手１８の構造を詳細に説明し、図４を用いて、手先２４の構造を詳細に説明する。
【００１７】
図１及び図２（ａ）（ｂ）（ｃ）（ｄ）で示すように、垂れ２は、袋形の形状をしている。そのため、垂れ２は、垂れ２が成す袋４をひっくり返すことによって、袋４の外側６と内側１２を相互に入れ替え、外側６・内側１２の何れかを表にすることができる。
【００１８】
垂れ２は、袋形であり、かつ、平面的な構造であるため、袋の外側６表裏で２つ、袋の内側１２表裏で２つ、合計４つの面を備えている。そして、垂れ２は、袋外側６の表面８、裏面１０、袋内側１２の表面１４、裏面１６の４つの面それぞれに、それぞれ異なる第一の柄５２、第二の柄５４、第三の柄５６及び第四の柄５８が重複しないように一つずつ配置される。このような構造を採用しているため、垂れ２は、袋４をひっくり返したり、垂れ２で作るお太鼓の表に出てくる面を変更したりすることによって、異なる４つの柄のお太鼓を作ることができる。
【００１９】
垂れ２は、袋４の開口部付近であって、袋内側１２の裏面１６上に、垂れ２の長手方向にタックを入れるための第一の係止機構４０の雄部４２及び雌部４４を２組備える。つまり、垂れ２開口部には、２本のタックを入れることができる。例えば、第一の係止機構４０は、ストロングスナップボタン、面ファスナーなどの機構であり、雄部４２と雌部４４とは、着脱可能である。また、第一の係止機構４０は、垂れ２の長手方向にタックを入れるための機構であるため、１組の雄部４２と雌部４４とは、隣り合わせに配置される。第一の係止機構４０を利用し、垂れ２の長手方向にタックを入れることにより、垂れ２で作るお太鼓の山が自然な形状となる。なお、第一の係止機構４０が設置される部位を「天」という場合もある。
【００２０】
垂れ２は、袋４の片側面だけに帯芯が装着された構造である。つまり、垂れ２は、袋の外側表面８・内側表面１４の間、又は袋の外側裏面１０・内側裏面１６の間のどちらか一方にのみ帯芯を装着する構造である。なお、帯芯は、帯の形を保つために入れる芯布であり、厚い綿布、三河木綿・河内木綿などが使用される。こうすることによって、垂れ２の形を保たせた上で、垂れ２の厚みを薄くすることができる（帯芯２枚分だけ薄くすることができる）ので、収納スペースを小さくすることができる。また、こうすることによって、袋がひっくり返し易くなるという効果も有る。
【００２１】
手１８は、付け帯１の着用者６０の胴部分に２周巻いて使用する。また、図１及び図３（ａ）（ｂ）で示すように、手１８は、長方形の平面形状をしており、表面２０、裏面２２を有する。手１８端部の紐は有っても無くてもどちらでも良い。なお、手１８全体に帯芯が装着されていることが好適である。手１８の形を保たせるためである。
【００２２】
そして、手１８は、表面２０中央から左側部分、表面２０中央から右側部分、裏面２２中央から左側部分、裏面２２中央から右側部分の４つの部位それぞれに、それぞれ異なる第一の柄５２、第二の柄５４、第三の柄５６及び第四の柄５８を重複しないように一つずつ配置する。このような構造を採用しているため、手１８は、表面２０・裏面２２のどちらを外側にして巻くか、表面２０・裏面２２の左右のどちら側を２周目（外側）にするかを適宜変更することによって、異なる４つの帯柄を楽しむことができる。
【００２３】
図１及び図４（ａ）（ｂ）（ｃ）（ｄ）で示すように、手先２４は、袋形の形状をしている。そのため、手先２４は、手先２４が成す袋２６をひっくり返すことによって、袋２６の外側２８と内側３４を相互に入れ替えることができる。
【００２４】
手先２４は、袋形であり、かつ、平面的な構造であるため、袋２６の外側表裏の２つ、袋２６の内側表裏の２つで、合計４つの面を備えている。そして、手先２４は、袋２６外側の表面３０、裏面３２、袋２６内側の表面３６、裏面３８の４つの面それぞれに、それぞれ異なる第一の柄５２、第二の柄５４、第三の柄５６及び第四の柄５８が重複しないように一つずつ配置される。このような構造を採用しているため、手先２４は、袋２６をひっくり返したり、着用の際表に出てくる部位を変更したりすることによって、異なる４つの柄の手先とすることができる。
【００２５】
手先２４は、袋２６の片側面だけに帯芯が装着された構造である。つまり、手先２４は、袋の外側表面３０・内側表面３６の間、又は袋の外側裏面３２・内側裏面３８の間のどちらか一方にのみ帯芯を装着する構造である。こうすることによって、手先２４の形を保たせた上で、手先２４の厚みを薄くすることができる（帯芯２枚分だけ薄くすることができる）ので、収納スペースを小さくすることができる。また、こうすることによって、袋がひっくり返し易くなるという効果も有る。
【００２６】
なお、垂れ２と手先２４には、垂れ２でお太鼓を作ったときに、垂れ２と手先２４とを係止させるための第二の係止機構４６が備えられる。垂れ２は、第二の係止機構４６の雄部４８を有し、手先２４は、第二の係止機構４６の雌部５０を有する。第二の係止機構４６は、例えば、面ファスナーなどの機構であり、雄部４８と雌部５０とは、着脱可能である。ただし、付け帯１は、第二の係止機構４６を有さず、垂れ２でお太鼓を作ったときに、垂れ２と手先２４とを安全ピン７２などで留める形態としても良い。
【００２７】
また、垂れ２、手１８、手先２４における第一の柄５２、第二の柄５４、第三の柄５６及び第四の柄５８は、それぞれ異なる生地を使用する形態であっても良く、生地は同じであっても、例えばプリント柄などの様に、異なる模様が生地上に施される形態であっても良い。
（本実施の形態に係る付け帯の使用方法）
図５乃至１８を用いて、付け帯１の使用方法（付け帯１の着用方法）について説明する。図５乃至１８は、付け帯１の着用手順を説明するための図である。
【００２８】
図５で示すように、第一の手順として、着用者６０は、手１８を自分の胴に二巻きし、クリップ６２などで留める。手１８に紐が付いている場合、着用者６０は、二巻きした手１８を紐で固定する。このとき、着用者６０は、表に出したい柄が二巻き目となるように手１８を胴に巻く。
図６で示すように、第二の手順として、着用者６０は、丸めたおしぼり７０を、第一の手順で巻いた手１８の下に置き、垂れ２で作るお太鼓の台とする。
【００２９】
図７で示すように、第三の手順として、着用者６０は、第一の係止機構４０の雄部４２・雌部４４を嵌合させ、垂れ２の天の部分に２本のタックを作る。こうすることで、垂れ２で作るお太鼓の山が自然な形状となる。
【００３０】
図８で示すように、第四の手順として、着用者６０は、天の部分を上にして垂れ２を置く。そして、垂れ２の天とは反対側の先端から１２ｃｍの位置に、安全ピン７２で手先２４を固定する。ここで、垂れ２及び手先２４が、第二の係止機構４６の雄部４８及び雌部５０を有する場合、安全ピン７２ではなく、第二の係止機構４６を用いて、垂れ２に手先２４を固定する。
図９で示すように、第五の手順として、着用者６０は、垂れ２及び手先２４を裏返して、天の部分を下にして垂れ２を置く。
図１０で示すように、第六の手順として、着用者６０は、帯枕にガーゼや帯揚げ６４をセットし、それを裏返して置いたお太鼓（垂れ２）の山の位置に置く。
図１１で示すように、第七の手順として、着用者６０は、垂れ２を被せる。
図１２で示すように、第八の手順として、着用者６０は、垂れ２を折り上げる。
図１３で示すように、第九の手順として、着用者６０は、先に折り上げた垂れ２で作成したお太鼓の中に手先２４を入れる。
図１４で示すように、第九の手順において、お太鼓の中に入れた手先２４は、反対側から１〜２ｃｍだけ出るようにする。
図１５で示すように、第十の手順として、着用者６０は、帯締めを垂れ２で作ったお太鼓の中に通す。
図１６で示すように、第十一の手順として、着用者６０は、洗濯バサミ６６などで４箇所を固定する。
【００３１】
図１７で示すように、第十二の手順として、着用者６０は、垂れ２で作ったお太鼓を、第二の手順で置いた丸めたおしぼり７０の台上に載せ、ガーゼや帯揚げ６４を結び、帯締め６８を締める。
【００３２】
図１８で示すように、第一の手順乃至第十二の手順に従えば、最終的に、着用者６０に付け帯１が装着される。なお、第三の手順乃至第十二の手順において、着用者６０は、袋４の内外入れ替え、垂れ２の表裏入れ替えを適宜行うことにより、垂れ２で作成するお太鼓で表に出したい柄を選択する。また、第三の手順乃至第十二の手順において、着用者６０は、袋２６の内外入れ替え、手先２４の表裏入れ替えを適宜行うことにより、表に出したい手先２４の柄を選択する。
（総括）
付け帯１は、従来の付け帯と同様の手順に従って装着が可能であるため、装着動作が容易である。
付け帯１は、１組の付け帯で、４種類の模様（帯柄）を手軽に楽しむことができる。
【００３３】
付け帯１は、少量の４種類の布（通常の付け帯で使用する布量の４分の１）を寄せ集めて作成することが可能であるため、帯用反物以外の布、例えば、着物羽織のリサイクル、洋服地などを材料として、仕立てることができる。
【００３４】
付け帯１は、４種類の模様を楽しむ場合、１本につき１種類の模様しか楽しめない通常の帯と比較して、収納スペースが４分の１で済み、省スペース性に優れる。
付け帯１は、垂れ２に手先２４を縫い付けない構造であり、全体が平面的な形状となるため、嵩張らず収納が容易である。
付け帯１は、垂れ２に手先２４を縫い付けない構造であり、手先２４の位置を変えられるため、角出し風の変わり結びなども楽しむことができる。
【００３５】
以上、本発明の実施の形態について詳述したが、本発明は係る特定の実施の形態に限定されるものではなく、特許請求の範囲に記載された本発明の要旨の範囲において、種々の変形・変更が可能である。
【符号の説明】
【００３６】
１    付け帯
２    垂れ
４    垂れが成す袋
６    垂れが成す袋の内側
８    垂れが成す袋の内側の一の面
１０  垂れが成す袋の内側の他の面
１２  垂れが成す袋の外側
１４  垂れが成す袋の外側の一の面
１６  垂れが成す袋の外側の他の面
１８  手（胴）
２０  手（胴）の一の面
２２  手（胴）の他の面
２４  手先
２６  手先が成す袋
２８  手先が成す袋の内側
３０  手先が成す袋の内側の一の面
３２  手先が成す袋の内側の他の面
３４  手先が成す袋の外側
３６  手先が成す袋の外側の一の面
３８  手先が成す袋の外側の他の面
４０  第一の係止機構
４２  第一の係止機構の雄部
４４  第一の係止機構の雌部
４６  第二の係止機構
４８  第二の係止機構の雄部
５０  第二の係止機構の雌部
５２  第一の柄
５４  第二の柄
５６  第三の柄
５８  第四の柄
６０  付け帯の着用者
６２  クリップ
６４  帯揚げ
６６  洗濯バサミ
６８  帯締め
７０  おしぼり
７２  安全ピン
【図１】
2014080698.tif 000003
【図２】
2014080698.tif 000004
【図３】
2014080698.tif 000005
【図４】
2014080698.tif 000006
【図５】
2014080698.tif 000007
【図６】
2014080698.tif 000008
【図７】
2014080698.tif 000009
【図８】
2014080698.tif 000010
【図９】
2014080698.tif 000011
【図１０】
2014080698.tif 000012
【図１１】
2014080698.tif 000013
【図１２】
2014080698.tif 000014
【図１３】
2014080698.tif 000015
【図１４】
2014080698.tif 000016
【図１５】
2014080698.tif 000017
【図１６】
2014080698.tif 000018
【図１７】
2014080698.tif 000019
【図１８】
2014080698.tif 000020